(57)【要約】  【課題】大当たり遊技による出球の調整を図って、その出球や大当たり確率等を含む遊技機スペックを出球率を加味して設定する自由度を高め、しかも、大当たり遊技で実行される開閉パターンとして特殊開閉パターンを実行し得るようにして、大当たり遊技中の面白みを創出して遊技性の向上を図ることができる、パチンコ遊技機を提供する。  【解決手段】メイン制御装置２１において、複数ラウンドのうち先頭の１又は複数のラウンド又は最後尾の１又は複数のラウンドが他の通常ラウンドの規定時間よりも短い規定時間に設定されるダミーラウンドとなる特殊開閉パターンを有する複数種類の開閉パターンを有する複数種類の開閉パターンを記憶し、大当たりに当選した場合に、特殊開閉パターンが択一的に選択され、選択された開閉パターンとなるように第１，第２大入賞口装置を制御し得るようにする。【選択図】  図１３
2010088542.tif 000002
【特許請求の範囲】
【請求項１】
遊技盤に設けられた始動入賞口と、遊技盤に設けられた大入賞口を開閉する大入賞口装置と、始動入賞口への遊技球の入賞を契機に行われる抽選により大当たりに当選した場合に、大入賞口を開放した後に規定数の遊技球の入賞又は規定時間の経過により大入賞口を閉塞して終了するラウンドを複数ラウンド継続させる開閉パターンとなるように大入賞口装置を制御する制御装置とを備えたパチンコ遊技機において、
前記大入賞口装置として独立の第１，第２大入賞口を夫々開閉する第１，第２大入賞口装置を設け、
前記制御装置は、
前記第１，第２大入賞口装置の少なくとも一方に対して実行可能で大入賞口を一定数の複数ラウンドに亙って開閉する複数種類の開閉パターンであって、前記複数ラウンドのうち先頭の１又は複数のラウンド又は最後尾の１又は複数のラウンドが他の通常ラウンドの前記規定時間よりも短い規定時間に設定されるダミーラウンドとなる特殊開閉パターンを有する複数種類の開閉パターンを記憶した開閉パターン記憶手段と、
前記大当たりに当選した場合に、前記開閉パターン記憶手段の中の何れかの開閉パターンを択一的に選択する開閉パターン選択手段と、
前記開閉パターン選択手段で選択された開閉パターンとなるように第１，第２大入賞口装置を制御する開閉制御手段と、
を備えたことを特徴とするパチンコ遊技機。
【請求項２】
前記複数ラウンドが７〜１６ラウンドの何れかであり、前記ダミーラウンドの数が２〜５の何れかであり、前記ダミーラウンドの規定時間が通常ラウンドの規定時間の１／１０以下であることを特徴とする請求項１に記載のパチンコ遊技機。
【請求項３】
前記複数種類の開閉パターンは、前記特殊開閉パターンとして、第１大入賞口装置がダミーラウンドと通常ラウンドの両方を実行する特殊開閉パターンと、第２大入賞口装置がダミーラウンドと通常ラウンドの両方を実行する特殊開閉パターンを有することを特徴とする請求項１又は２に記載のパチンコ遊技機。
【請求項４】
前記複数種類の開閉パターンは、前記特殊開閉パターンとして、第１大入賞口装置がダミーラウンドを実行し第２大入賞口装置が通常ラウンドを実行する特殊開閉パターンと、第２大入賞口装置がダミーラウンドを実行し第１大入賞口装置が通常ラウンドを実行する特殊開閉パターンの少なくとも１つを有することを特徴とする請求項１〜３の何れかに記載のパチンコ遊技機。
【請求項５】
前記複数種類の開閉パターンは、第１，第２大入賞口装置の何れか一方が前記複数ラウンド全てで通常ラウンドを実行する開閉パターンと、第１，第２大入賞口が協働して前記複数ラウンド全てで通常ラウンドを実行する開閉パターンを有することを特徴とする請求項１〜４の何れかに記載のパチンコ遊技機。
【請求項６】
前記制御装置は、先頭の１又は複数のラウンドがダミーラウンドとなる特殊開閉パターンが実行されている場合、遊技盤のディスプレイに現在実行中のラウンドを含めて実行される残りのラウンド数を表示させる表示制御手段を備えたことを特徴とする請求項１〜５の何れかに記載のパチンコ遊技機。
【請求項７】
前記制御装置は、最後尾の１又は複数のラウンドがダミーラウンドとなる特殊開閉パターンが実行されている場合、遊技盤のディスプレイに現在実行中のラウンドを含めて実行されたラウンド数を表示させる表示制御手段を備えたことを特徴とする請求項１〜５の何れかに記載のパチンコ遊技機。
【請求項８】
前記制御装置は、最後尾の１又は複数のラウンドがダミーラウンドとなる特殊開閉パターンが実行されている場合、通常ラウンド実行中に、後のラウンドでダミーラウンドが実行される旨を非昇格通知として遊技盤のディスプレイに表示させ、特殊開閉パターン以外の開閉パターンが実行されている場合、最後尾の１又は複数のラウンドがダミーラウンドとなる特殊開閉パターンの通常ラウンドに対応する通常ラウンド実行中に、後のラウンド全てで通常ラウンドが実行される旨を昇格通知としてディスプレイに表示させる表示制御手段を備えたことを特徴とする請求項１〜５の何れかに記載のパチンコ遊技機。
【発明の詳細な説明】
【技術分野】
【０００１】
本発明はパチンコ遊技機に関し、特に、大当たりに当選して大入賞口を複数ラウンドに亙って開閉する場合、その複数ラウンドのうち先頭又は最後尾の１又は複数のラウンドが他の通常ラウンドの規定時間よりも短い規定時間に設定されるダミーラウンドとなる特殊開閉パターンを実行し得るようにしたものである。
【背景技術】
【０００２】
従来、主流のパチンコ遊技機では、始動入賞口への遊技球の入賞を契機に抽選が行われ、その抽選により大当たりに当選した場合に、大当たり遊技が発生し、大入賞口装置が作動して、通常は閉塞の大入賞口が複数ラウンド（例えば、１５Ｒ）に亙って開閉される。各ラウンドは大入賞口を開放した後に規定数（例えば、１０個）の遊技球の大入賞口への入賞又は規定時間（例えば、約３０秒）の経過により大入賞口を閉塞して終了し、このラウンドを複数ラウンド継続させる開閉パターンとなるように大入賞口装置が制御される。
【０００３】
通常、各ラウンドの規定時間は、全てのラウンドで一律に、しかも、遊技球を通常に連続発射した場合に当該ラウンド実行中に規定数の遊技球が大入賞口に入賞可能な（入賞し易い）時間に設定されている。故に、大当たり遊技で実行される大当たりラウンド数が一律の場合、開閉パターンも一律となって、遊技者は最終的に略一定数（例えば、大入賞口への遊技球の入賞１個について１０個の賞球がある場合、規定数＝１０個、大当たりラウンド数＝１５Ｒとした場合、１０×１０×１５＝１５００個）の出球を得られる。
【０００４】
一方、大当たりラウンド数が異なるラウンド数（例えば、２Ｒと１５Ｒ）の中から択一的に選択されるパチンコ遊技機が公知であり、この場合、規則により大当たりラウンド数をランプ等で明確に表示しなければならない。他方、大当たりに当選した場合、１Ｒ目の大入賞口の最初の２回の開閉を短時間で行うダミーとし、その後、同１Ｒ目の大入賞口の開閉を通常のように行って、複数ラウンド（例えば、１５Ｒ）実行するパチンコ遊技機が公知である。
【０００５】
ところで、大入賞口を独立に２つ設けたパチンコ遊技機( 例えば、特許文献１参照) が公知であり、この種のパチンコ遊技機において、例えば、一方の大入賞口では大当たりラウンド数を一律の１５Ｒとし、他方の大入賞口では大当たりラウンド数を２Ｒと１６Ｒの中から択一的に選択するものが知られている。尚、特許文献２，３に記載のパチンコ遊技機は、遊技者が大当たり確率を変更することで、その大当たり確率に応じて大当たりラウンド数や規定時間が変更されるものである。
【０００６】
【特許文献１】特開２００７−２９２号公報
【特許文献２】特開平９−１７３５４３号公報
【特許文献３】特開平９−２７１５６７号公報
【発明の開示】
【発明が解決しようとする課題】
【０００７】
パチンコ遊技機において、大当たりに当選した場合、各ラウンドの規定時間が、全てのラウンドで一律に、しかも、遊技球を通常に連続発射した場合に当該ラウンド実行中に規定数の遊技球が大入賞口に入賞可能な時間に設定されると、大当たりラウンド数を一律とする場合、開閉パターンも一律となって、大当たり遊技の結果得られる出球が略一定となり、つまり、大当たり遊技による出球の調整が困難で、その出球や大当たり確率等を含む遊技機スペックを出球率を加味して設定する自由度が低くなる。しかも、遊技者は大入賞口の開閉パターンが一律で変化がなく大当たり遊技による出球も略一定であると初めから判るため、この点で、大当たり遊技中の面白みを創出することができない。
【０００８】
そこで、大当たりラウンド数を異なるラウンド数から択一的に選択するパチンコ遊技機が公知であるが、規則により大当たりラウンド数をランプ等で明確に表示しなければならず、遊技者はその表示から大当たりラウンド数が判ってしまい、各ラウンドの終了条件も全てのラウンドで一律で変化がなく大当たり遊技による出球も略一定であると初めから判るため、大当たり遊技中の面白みを創出することが困難である。ここで、大入賞口を独立に２つ設けたパチンコ遊技機では、前記同様の課題が生じるが、大当たり遊技による出球の調整を図り、大当たり遊技中の面白みを創出するように改善する余地が大いにある。
【０００９】
本発明の目的は、大当たり遊技による出球の調整を図って、その出球や大当たり確率等を含む遊技機スペックを出球率を加味して設定する自由度を高め、しかも、大当たり遊技で実行される大当たりラウンド数を全て一定数とするとともに、その開閉パターンとして特殊開閉パターンを実行し得るようにして、大当たり遊技中の面白みを創出して遊技性の向上を図ることができる、パチンコ遊技機を提供することである。
【課題を解決するための手段】
【００１０】
本発明のパチンコ遊技機は、遊技盤に設けられた始動入賞口と、遊技盤に設けられた大入賞口を開閉する大入賞口装置と、始動入賞口への遊技球の入賞を契機に行われる抽選により大当たりに当選した場合に、大入賞口を開放した後に規定数の遊技球の入賞又は規定時間の経過により大入賞口を閉塞して終了するラウンドを複数ラウンド継続させる開閉パターンとなるように大入賞口装置を制御する制御装置とを備えている。
【００１１】
請求項１の発明は、前記大入賞口装置として独立の第１，第２大入賞口を夫々開閉する第１，第２大入賞口装置を設け、前記制御装置は、前記第１，第２大入賞口装置の少なくとも一方に対して実行可能で大入賞口を一定数の複数ラウンドに亙って開閉する複数種類の開閉パターンであって、前記複数ラウンドのうち先頭の１又は複数のラウンド又は最後尾の１又は複数のラウンドが他の通常ラウンドの前記規定時間よりも短い規定時間に設定されるダミーラウンドとなる特殊開閉パターンを有する複数種類の開閉パターンを記憶した開閉パターン記憶手段と、前記大当たりに当選した場合に、前記開閉パターン記憶手段の中の何れかの開閉パターンを択一的に選択する開閉パターン選択手段と、前記開閉パターン選択手段で選択された開閉パターンとなるように第１，第２大入賞口装置を制御する開閉制御手段とを備えたことを特徴としている。
【００１２】
このパチンコ遊技機では、制御装置において、第１，第２大入賞口装置の少なくとも一方に対して実行可能で大入賞口を一定数の複数ラウンドに亙って開閉する複数種類の開閉パターンが開閉パターン記憶手段に記憶され、この複数種類の開閉パターンは、複数ラウンドのうち先頭の１又は複数のラウンド又は最後尾の１又は複数のラウンドが他の通常ラウンドの規定時間よりも短い規定時間に設定されるダミーラウンドとなる特殊開閉パターンを有する。そして、開閉パターン選択手段により、大当たりに当選した場合に、開閉パターン記憶手段の中から特殊開閉パターンが選択されると、開閉制御手段により、開閉パターン選択手段で選択された特殊開閉パターンとなるように第１，第２大入賞口装置が制御される。つまり、第１，第２大入賞口装置の少なくとも一方により、先頭の１又は複数のラウンド又は最後尾の１又は複数のラウンドとしてダミーラウンドが実行されるとともに、そのダミーラウンドの実行後又は実行前に通常ラウンドが実行される。
【００１３】
ここで、請求項１の従属請求項として次の構成を採用可能である。
前記複数ラウンドが７〜１６ラウンドの何れかであり、前記ダミーラウンドの数が２〜５の何れかであり、前記ダミーラウンドの規定時間が通常ラウンドの規定時間の１／１０以下である（請求項２）。
【００１４】
前記複数種類の開閉パターンは、前記特殊開閉パターンとして、第１大入賞口装置がダミーラウンドと通常ラウンドの両方を実行する特殊開閉パターンと、第２大入賞口装置がダミーラウンドと通常ラウンドの両方を実行する特殊開閉パターンを有する（請求項３）。前記複数種類の開閉パターンは、前記特殊開閉パターンとして、第１大入賞口装置がダミーラウンドを実行し第２大入賞口装置が通常ラウンドを実行する特殊開閉パターンと、第２大入賞口装置がダミーラウンドを実行し第１大入賞口装置が通常ラウンドを実行する特殊開閉パターンの少なくとも１つを有する（請求項４）。
【００１５】
前記複数種類の開閉パターンは、第１，第２大入賞口装置の何れか一方が前記複数ラウンド全てで通常ラウンドを実行する開閉パターンと、第１，第２大入賞口が協働して前記複数ラウンド全てで通常ラウンドを実行する開閉パターンを有する（請求項５）。
【００１６】
前記制御装置は、先頭の１又は複数のラウンドがダミーラウンドとなる特殊開閉パターンが実行されている場合、遊技盤のディスプレイに現在実行中のラウンドを含めて実行される残りのラウンド数を表示させる表示制御手段を備える（請求項６）。前記制御装置は、最後尾の１又は複数のラウンドがダミーラウンドとなる特殊開閉パターンが実行されている場合、遊技盤のディスプレイに現在実行中のラウンドを含めて実行されたラウンド数を表示させる表示制御手段を備える（請求項７）。
【００１７】
前記制御装置は、最後尾の１又は複数のラウンドがダミーラウンドとなる特殊開閉パターンが実行されている場合、通常ラウンド実行中に、後のラウンドでダミーラウンドが実行される旨を非昇格通知として遊技盤のディスプレイに表示させ、特殊開閉パターン以外の開閉パターンが実行されている場合、最後尾の１又は複数のラウンドがダミーラウンドとなる特殊開閉パターンの通常ラウンドに対応する通常ラウンド実行中に、後のラウンド全てで通常ラウンドが実行される旨を昇格通知としてディスプレイに表示させる表示制御手段を備える（請求項８）。
【発明の効果】
【００１８】
請求項１のパチンコ遊技機によれば、開閉パターン記憶手段に記憶された複数種類の開閉パターンは、通常ラウンドの規定時間よりも短い規定時間に設定されるダミーラウンドを含む特殊開閉パターンを有するため、そのダミーラウンドの規定時間を、遊技球を通常に連続発射した場合に当該ダミーラウンド実行中に規定数の遊技球が大入賞口に入賞不可能な（入賞しにくい）時間に設定することで、大当たりに当選した場合、開閉パターン選択手段により特殊開閉パターンが選択され、開閉制御手段により特殊開閉パターンとなるように第１，第２大入賞口装置が制御されると、この特殊開閉パターンでの大当たり遊技による出球を、複数ラウン全てで通常ラウンドを実行する一般的な開閉パターンでの大当たり遊技による出球よりも低く抑えることができる。つまり、大当たり遊技による出球の調整を図って、その出球や大当たり確率等を含む遊技機スペックを出球率を加味して設定する自由度を高めることができる。
【００１９】
しかも、第１，第２大入賞口装置を設けたことにより、特殊開閉パターンにおいて、ダミーラウンドと通常ラウンドの両方を第１又は第２入賞口装置に実行させたり、ダミーラウンドを第１，第２大入賞口装置の一方に実行させ通常ラウンドを第１，第２大入賞口装置の他方に実行させたりすることができ、特殊開閉パターンの種類を、１つの大入賞口装置を設けた場合の特殊開閉パターンの種類よりも多くすることもできる。そして、複数種類の開閉パターンは、その大当たりラウンド数を全て一定数とすることで、大当たりに当選しても、大当たりラウンド数を表示する必要がなくなり、また、先頭の１又は複数のラウンドをダミーラウンドとする場合には、そのダミーラウンドを出球を実質得られない捨てラウンドとして、そのダミーラウンドにおける大入賞口の開閉をギミック的な開放予兆予告として機能させ、また、最後尾の１又は複数のラウンドをダミーラウンドとする場合には、そのダミーラウンドを出球を実質得られない捨てラウンドとして、更に、複数種類の開放パターンが複数ラウン全てで通常ラウンドを実行する開閉パターンを有するようにして、遊技者は、大当たり遊技中に、最後まで通常ラウンドとなるのか最後はダミーラウンドとなるのかを、期待と不安を抱きながら大当たり遊技を行うことができる。つまり、大当たり遊技中の面白みを創出して遊技性の向上を図ることができる。
【００２０】
請求項２のパチンコ遊技機によれば、複数ラウンドが７〜１６ラウンドの何れかであり、ダミーラウンドの数が２〜５の何れかであり、ダミーラウンドの規定時間が通常ラウンドの規定時間の１／１０以下であるので、ダミーラウンドを実質出球を得られない捨てラウンドとして、特殊開閉パターンでの大当たり遊技による出球を、一般的な開閉パターンでの大当たり遊技による出球よりも確実に低く抑えることができる。
【００２１】
請求項３のパチンコ遊技機によれば、複数種類の開閉パターンは、特殊開閉パターンとして、第１大入賞口装置がダミーラウンドと通常ラウンドの両方を実行する特殊開閉パターンと、第２大入賞口装置がダミーラウンドと通常ラウンドの両方を実行する特殊開閉パターンを有するので、この特殊開閉パターンを実行する場合に、第１，第２大入賞口装置の一方のみで、ダミーラウンドと通常ラウンドを連続的に実行させることができる。
【００２２】
請求項４のパチンコ遊技機によれば、複数種類の開閉パターンは、特殊開閉パターンとして、第１大入賞口装置がダミーラウンドを実行し第２大入賞口装置が通常ラウンドを実行する特殊開閉パターンと、第２大入賞口装置がダミーラウンドを実行し第１大入賞口装置が通常ラウンドを実行する特殊開閉パターンの少なくとも１つを有するので、この特殊開閉パターンを実行する場合に、第１，第２大入賞口装置の一方でダミーラウンドを第１，第２大入賞口装置の他方で通常ラウンドを連続的に実行させることができる。
【００２３】
請求項５のパチンコ遊技機によれば、複数種類の開閉パターンは、第１，第２大入賞口装置の何れか一方が複数ラウンド全てで通常ラウンドを実行する開閉パターンと、第１，第２大入賞口が協働して複数ラウンド全てで通常ラウンドを実行する開閉パターンを有するので、大当たりに当選した場合、遊技者は、出球獲得の上で有利な上記の開閉パターンが選択されるのか、出球獲得の上で不利な特殊開閉パターンが選択されるのかを、期待と不安を抱きながら遊技を行うことができる。このように、大当たり遊技にあたっての面白みを創出して遊技性の向上を図ることができる。
【００２４】
請求項６のパチンコ遊技機によれば、制御装置は、先頭の１又は複数のラウンドがダミーラウンドとなる特殊開閉パターンが実行されている場合、遊技盤のディスプレイに現在実行中のラウンドを含めて実行される残りのラウンド数を表示させる表示制御手段を備えたので、特殊開閉パターンの場合でも、その他の開閉パターンの場合でも、実行される残りのラウンド数を遊技者に対して正確に判り易く表示することができる。
【００２５】
請求項７のパチンコ遊技機によれば、制御装置は、最後尾の１又は複数のラウンドがダミーラウンドとなる特殊開閉パターンが実行されている場合、遊技盤のディスプレイに現在実行中のラウンドを含めて実行されたラウンド数を表示させる表示制御手段を備えたので、特殊開閉パターンの場合でも、その他の開閉パターンの場合でも、実行されたラウンド数を遊技者に対して正確に判り易く表示することができる。
【００２６】
請求項８のパチンコ遊技機によれば、制御装置は、最後尾の１又は複数のラウンドがダミーラウンドとなる特殊開閉パターンが実行されている場合、通常ラウンド実行中に、後のラウンドでダミーラウンドが実行される旨を非昇格通知として遊技盤のディスプレイに表示させ、特殊開閉パターン以外の開閉パターンが実行されている場合、最後尾の１又は複数のラウンドがダミーラウンドとなる特殊開閉パターンの通常ラウンドに対応する通常ラウンド実行中に、後のラウンド全てで通常ラウンドが実行される旨を昇格通知としてディスプレイに表示させる表示制御手段を備えたので、遊技者は、最後まで通常ラウンドとなるのか最後はダミーラウンドとなるのかを、大当たり遊技中に、ディスプレイに演出的に表示される昇格通知や非昇格通知を見て一喜一憂して楽しむことができる。
【発明を実施するための最良の形態】
【００２７】
本発明は、遊技盤に設けられた始動入賞口と、遊技盤に設けられた大入賞口を開閉する大入賞口装置と、始動入賞口への遊技球の入賞を契機に行われる抽選により大当たりに当選した場合に、大入賞口を開放した後に規定数の遊技球の入賞又は規定時間の経過により大入賞口を閉塞して終了するラウンドを複数ラウンド継続させる開閉パターンとなるように大入賞口装置を制御する制御装置とを備えたパチンコ遊技機に適用されるものである。
【実施例】
【００２８】
図１、図２に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００２９】
開閉扉３の窓３ａの下側に、遊技球を貯留する貯留皿６と、遊技者が操作する発射ハンドル７が装着されている。発射ハンドル７が回動操作されると、貯留皿６から発射位置に導入された遊技球が発射され、ここで、貯留皿６に複数の遊技球が存在する場合には、例えば、複数の遊技球が約０．６秒間隔で連続発射される。発射された遊技球は、ガイドレール８で案内されて遊技領域５の上部に投入される。
【００３０】
図２、図３に示すように、遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着され、遊技盤４の裏面側に制御装置２０が装着されている。
【００３１】
始動入賞口装置１１は、センタ役物１７の下側に配置され、所謂電チューを含む構成で、上始動入賞口１１ａ、下始動入賞口１１ｂ、下始動入賞口１１ｂを開閉する開閉部材１１ｃ、始動入賞口１１ａ，１１ｂに入賞した遊技球を検出する始動口ＳＷ１１ｄ、開閉部材１１ｃを開閉駆動する電チューソレノイド１１ｅを有する。開閉部材１１ｃは、左右対称の２つの短い羽根部材が盤面直角方向の軸回りに動作するように構成され、閉塞位置で下始動入賞口１１ｂへの遊技球の入賞を不可能にし、開放位置で下始動入賞口１１ｂへの遊技球の入賞を可能にする。尚、図２の開閉部材１１ｃは閉塞位置にある。
【００３２】
ゲート１２はセンタ役物１７の左側に配置され、このゲート１２を通過した遊技球を検出するゲートＳＷ１２ａが付設されている。ゲート１２を遊技球が通過することを契機に行われる抽選により当選した場合に、始動入賞口装置１１が作動して、通常は閉塞の下始動入賞口１１ｂが開閉するように開閉部材１１ｃを動作させる。
【００３３】
第１大入賞口装置１３は、始動入賞口装置１１の下側に配置され、第１大入賞口１３ａ、第１大入賞口１３ａを開閉する第１開閉部材１３ｂ、第１大入賞口１３ａに入賞した遊技球を検出する第１大入賞口ＳＷ１３ｃ、第１開閉部材１３ｂを開閉駆動する第１大入賞口ソレノイド１３ｄを有する。第１開閉部材１３ｂは、盤面平行方向の軸回りに動作するように構成され、閉塞位置で第１大入賞口１３ａへの遊技球の入賞を不可能にし、開放位置で第１大入賞口１３ａへの遊技球の入賞を可能にする。尚、図２の第１開閉部材１３ｂは開放位置にある。
【００３４】
第２大入賞口装置１４は、センタ役物１７の上部左部に設けられ、第２大入賞口１４ａ、第２大入賞口１４ａを開閉する第２開閉部材１４ｂ、第２大入賞口１４ａに入賞した遊技球を検出する第２大入賞口ＳＷ１４ｃ、第２開閉部材１４ｂを開閉駆動する第２大入賞口ソレノイド１４ｄを有する。第２開閉部材１４ｂは、盤面直角方向の軸回りに動作するように構成され、閉塞位置で第２大入賞口１４ａへの遊技球の入賞を不可能にし、開放位置で第２大入賞口１４ａへの遊技球の入賞を可能にする。尚、図２の第２開閉部材１４ｂは閉塞位置にある。
【００３５】
始動入賞口１１ａ，１１ｂへの遊技球の入賞を契機に行われる抽選により大当たりに当選した場合に、大当たり遊技が発生し、第１，第２大入賞口装置１３，１４の少なくとも一方が作動して、通常は閉塞の第１，第２大入賞口１３ａ，１４ａの少なくとも一方が開閉するように第１，第２開閉部材１３ｂ，１４ｂの少なくとも一方を動作させる。普通入賞口１５は、遊技領域５に複数設けられ、この普通入賞口１５に入賞した遊技球を検出する普通入賞口ＳＷ１５ａが付設されている。
【００３６】
画像表示器１６は、液晶ディスプレイからなり、センタ役物１７に大きく配置されている。この画像表示器１６には、主に、始動入賞口１１ａ，１１ｂへの遊技球の入賞を契機に行われる抽選に関する演出（例えば、演出図柄を用いた図柄変動や抽選結果）が表示され、大当たり遊技中には、大当たり遊技画面（例えば、大当たりに因んだ動画等）が表示される。センタ役物１７には、前記のように第２大入賞口装置１４と画像表示器１６が設けられ、また、種々の電飾も設けられている。
【００３７】
遊技表示盤１８は、遊技領域５の下部右側に前方へ向けて配置され、７セグメントの特別図柄表示器１８ａ、○×で表示する普通図柄表示器１８ｂ、４つの特別図柄保留ランプ１８ｃ、４つの普通図柄保留ランプ１８ｄを備え、これら表示器１８ａ〜１８ｄはＬＥＤを発光源としている。特別図柄表示器１８ａでは、始動入賞口１１ａ，１１ｂへの遊技球の入賞を契機に行われる抽選の結果が変動表示後に表示され、普通図柄表示器１８ｂでは、ゲート１２を遊技球が通過することを契機に行われる抽選の結果が変動表示後に表示される。
【００３８】
特別図柄表示器１８ａの変動表示中に、始動入賞口１１ａ，１１ｂに入賞した遊技球の数であって、特別図柄表示器１８ａの変動に供しない（後で抽選の結果が得られる）特別図柄の保留数が最大で４つまで保留され、特別図柄保留ランプ１８ｃには、その特別図柄の保留数が表示される。同様に、普通図柄表示器１８ｂの変動表示中に、ゲート１２を通過した遊技球の数であって、普通図柄表示器１８ｂの変動に供しない（後で抽選の結果が得られる）普通図柄の保留数が最大で４つまで保留され、普通図柄保留ランプ１８ｄには、その普通図柄の保留数が表示される。
【００３９】
発射ハンドル７を回動操作することで、発射され遊技領域５の上部に投入された遊技球は、複数の障害釘１０に当たって方向を変えながら落下して、入賞口１１ａ，１１ｂ，１３ａ，１４ａ，１５の何れかに入賞した場合、そこから遊技領域５外へ排出され、入賞口１１ａ，１１ｂ，１３ａ，１４ａ，１５の何れにも入賞しなかった場合には、最終的に、遊技領域５の下端部に形成されたアウト口１９から遊技領域５外へ排出される。
【００４０】
図３に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００４１】
メイン制御基板２２が、始動口ＳＷ１１ｄ、ゲートＳＷ１２ａ、第１大入賞口ＳＷ１３ｃ、第２大入賞口ＳＷ１４ｃ、普通入賞口ＳＷ１５ａから検出信号を受けて、また、払出制御基板２６から制御情報を受けて、電チューソレノイド１１ｅ、第１大入賞口ソレノイド１３ｄ、第２大入賞口ソレノイド１４ｄ、特別図柄表示器１８ａ、普通図柄表示器１８ｂ、特別図柄保留ランプ１８ｃ、普通図柄保留ランプ１８ｄを制御する。
【００４２】
払出制御基板２６は、メイン制御基板２２から制御情報を受けて、払出駆動モータ３０を制御し、入賞口１１ａ，１１ｂ，１３ａ，１４ａ，１５への遊技球の入賞１個について、入賞口１１ａ，１１ｂ，１３ａ，１４ａ，１５毎に設定された数の遊技球が貯留皿６に払い出される。演出制御基板２７は、メイン制御基板２２から制御情報を受けて、また、演出ボタン３１から入力信号を受けて、画像制御基板２８とランプ制御基板２９に夫々制御情報を出力する。例えば、演出ボタン３１は貯留皿６に設けられている。
【００４３】
画像制御基板２８は、演出制御基板２７から制御情報を受けて、画像表示器１６とスピーカ３２を制御し、ランプ制御基板２９は、演出制御基板２７から制御情報を受けて、主に画像制御基板２８による制御に同期させて、枠ランプ３３と盤ランプ３４と可動役物３５を制御する。例えば、スピーカ３２と枠ランプ３３は開閉扉３に設けられ、盤ランプ３４と可動役物３５は遊技盤４に設けられている。
【００４４】
ここで、メイン制御装置２１は、始動入賞口１１ａ，１１ｂへの遊技球の入賞を契機に行われる抽選により大当たりに当選した場合に、大入賞口４０を開放した後に規定数の遊技球の入賞又は規定時間の経過により大入賞口４０を閉塞して終了するラウンドを複数ラウンド継続させる開閉パターンとなるように大入賞口装置４１を制御するものである。但し、この大入賞口装置４１として、前記のように、独立の第１，第２大入賞口１３ａ，１４ａを夫々開閉する第１，第２大入賞口装置１３，１４が設けられている。
【００４５】
そして、メイン制御装置２１は、後述するように所定の条件が成立した場合に、第１，第２大入賞口装置１３，１４の少なくとも一方に対して実行可能で大入賞口１３ａ，１４ａを一定数の複数ラウンド（例えば、１０ラウンド）に亙って開閉する複数種類（例えば、１２種類）の開閉パターンであって、複数ラウンドのうち先頭の１又は複数のラウンド（例えば、３ラウンド）又は最後尾の１又は複数のラウンド（例えば、３ラウンド）が他の通常ラウンドの規定時間（例えば、約３０秒）よりも短い規定時間（例えば、約１秒）に設定されるダミーラウンドとなる特殊開閉パターンを有する複数種類の開閉パターンを記憶した開閉パターン記憶手段としてのＲＯＭを備えている。
【００４６】
更に、メイン制御装置２１は、始動入賞口１１ａ，１１ｂへの遊技球の入賞を契機に行われる抽選により大当たりに当選した場合に、ＲＯＭの中の何れかの開閉パターンを択一的に選択し、選択された開閉パターンとなるように第１，第２大入賞口装置１３，１４を制御する。即ち、メイン制御装置２１は開閉パターン選択手段と開閉制御手段とを構成している。
【００４７】
次に、複数種類の開閉パターンと、メイン制御装置２１が実行する処理・制御について詳細に且つ具体的に説明する。尚、「ラウンド」を適宜「Ｒ」と記載して以下説明する。
【００４８】
先ず、複数種類の開閉パターンは、その大当たりラウンド数が全て一律の１０Ｒであり、図４〜図６にタイムチャートで示す１２種類の開閉パターンを有する。ＡＴ１は第１大入賞口装置１３、ＡＴ２は第２大入賞口装置１４のことである。図４の４種類の開閉パターンＡ〜Ｄが基準開閉パターンであり、図５、図６の８種類の開閉パターンＥ〜Ｌが特殊開閉パターンであり、夫々、通常ラウンドの規定時間が約３０秒、ダミーラウンドの規定時間が通常ラウンドの規定時間（約３０秒）の１／１０（約３秒）以下の約１秒、各ラウンドの規定数が９個、ラウンド間のインターバル時間が約１．５秒に設定されている。
【００４９】
図４に示すように、基準開閉パターンＡは、第１大入賞口装置１３が１Ｒ〜１０Ｒの全てで通常ラウンドを実行し、基準開閉パターンＢは、第２大入賞口装置１４が１Ｒ〜１０Ｒの全てで通常ラウンドを実行する。基準開閉パターンＣ，Ｄは、第１，第２大入賞口１３，１４が協働して１Ｒ〜１０Ｒの全てで通常ラウンドを実行するが、詳しくは、基準開閉パターンＣは、第１大入賞口装置１３が先頭の１Ｒ〜３Ｒで通常ラウンドを実行して第２大入賞口装置１４が４Ｒ〜１０Ｒで通常ラウンドを実行し、基準開閉パターンＣは、第２大入賞口装置１４が先頭の１Ｒ〜３Ｒで通常ラウンドを実行して第１大入賞口装置１３が４Ｒ〜１０Ｒで通常ラウンドを実行する。尚、基準開閉パターンＣ，Ｄは、従来と同様の基準開閉パターンＡ，Ｂと比べて特有の開閉パターンであると言える。
【００５０】
図５に示すように、特殊開閉パターンＥは、第１大入賞口装置１３が先頭の１Ｒ〜３Ｒでダミーラウンドと４Ｒ〜１０Ｒで通常ラウンドの両方を実行し、特殊開閉パターンＦは、第２大入賞口装置１４が先頭の１Ｒ〜３Ｒでダミーラウンドと４Ｒ〜１０Ｒで通常ラウンドの両方を実行し、特殊開閉パターンＧは、第１大入賞口装置１３が先頭の１Ｒ〜３Ｒでダミーラウンドを実行し第２大入賞口装置１４が４Ｒ〜１０Ｒで通常ラウンドを実行し、特殊開閉パターンＨは、第２大入賞口装置１４が先頭の１Ｒ〜３Ｒでダミーラウンドを実行し第１大入賞口装置１３が４Ｒ〜１０Ｒで通常ラウンドを実行する。
【００５１】
図６に示すように、特殊開閉パターンＩは、第１大入賞口装置１３が１Ｒ〜７Ｒで通常ラウンドと最後尾の８〜１０Ｒでダミーラウンドの両方を実行し、特殊開閉パターンＪは、第２大入賞口装置１４が１Ｒ〜７Ｒで通常ラウンドと最後尾の８Ｒ〜１０Ｒでダミーラウンドの両方を実行し、特殊開閉パターンＫは、第１大入賞口装置１３が１Ｒ〜７Ｒで通常ラウンドを実行し第２大入賞口装置１４が最後尾の８Ｒ〜１０Ｒでダミーラウンドを実行し、特殊開閉パターンＬは、第２大入賞口装置１４が１Ｒ〜７Ｒで通常ラウンドを実行し第１大入賞口装置１３が最後尾の８Ｒ〜１０Ｒでダミーラウンドを実行する。
【００５２】
尚、メイン制御装置２１のＲＯＭには、複数種類の開閉パターンの情報として、各開閉パターンについて、１Ｒ〜１０Ｒの夫々が実行される大入賞口装置（第１，第２大入賞口装置１３，１４の何れか）を特定する情報と１Ｒ〜１０Ｒの夫々の規定時間の情報が記憶されている。
【００５３】
次に、メイン制御装置２１が実行する処理・制御について、図７〜図１３のフローチャートと図１４のテーブルに基づいて説明する。尚、この処理・制御を実行する為のプログラムと図１４のテーブルの関連情報は、メイン制御装置２１のＲＯＭに格納されている。
【００５４】
先ず、図７に示すように、メイン制御装置２１のメイン処理では、乱数更新処理（Ｓ１）、始動口ＳＷ処理（Ｓ２）、ゲートＳＷ処理（Ｓ３）、特別図柄処理（Ｓ４）、普通図柄処理（Ｓ５）、大入賞口処理（Ｓ６）、電チュー処理（Ｓ７）、賞球処理（Ｓ８）、出力処理（Ｓ９）が順次実行され、その後、Ｓ１０の初期値乱数の更新とＳ１１の変動パターン乱数の更新が繰り返し実行され、Ｓ１〜Ｓ９の処理については微小時間間隔毎の割込み処理にて実行される。
【００５５】
図８に示すように、Ｓ２の始動口ＳＷ処理では、始動口ＳＷ１１ｄがＯＮになった場合（Ｓ２０；Yes ）、特別図柄の保留数Ｕが４未満の場合に（Ｓ２１；Yes ）、保留数ＵがＵ＋１にインクリメントされ（Ｓ２２）、大当たり乱数、大当たり図柄乱数、リーチ乱数、変動パターン乱数が取得格納され（Ｓ２３）、リターンする。前記各乱数はＳ１の乱数更新処理において所定範囲内において逐次更新され、Ｓ２３では、始動口ＳＷ１１ｄがＯＮになった時に発生している乱数が取得格納される。
【００５６】
図９に示すように、Ｓ４の特別図柄処理では、大当たり中でない場合（Ｓ３０；No）、特別図柄が変動中でない場合に（Ｓ３１；No）、更に、特別図柄の保留数Ｕが１以上の場合に（Ｓ３２；Yes ）、保留数ＵがＵ−１にディクリメントされ（Ｓ３３）、大当たり判定処理（Ｓ３４）が実行される。
【００５７】
図１０に示すように、Ｓ３４の大当たり判定処理では、Ｓ２３で取得格納された最も古い大当たり乱数の判定が行われ（Ｓ５０）、その大当たり乱数が特定乱数と一致して、大当たりの場合（Ｓ５１；Yes ）、Ｓ２３で取得格納された最も古い大当たり図柄乱数の判定が行われ（Ｓ５２）、その大当たり図柄乱数に基づいて、大当たり図柄として１２種類の大当たり図柄Ａ〜Ｌの何れかが選択されセットされ（Ｓ５３）、リターンする。
【００５８】
Ｓ５３において大当たり図柄を選択する場合、図１４のテーブルを参照して、大当たり図柄乱数の乱数値から、大当たり図柄Ａ〜Ｌの何れかが選択される。尚、図１４において、大当たり図柄乱数の範囲、各大当たり図柄Ａ〜Ｌが選択される割合等は一例を示したものである。ここで、図１４に示すように、大当たり図柄Ａ〜Ｌの何れかが選択されることで、その選択された大当たり図柄Ａ〜Ｌに応じて、開閉パターンとして開閉パターンＡ〜Ｌの何れかが選択される。つまり、Ｓ２３、Ｓ５２、Ｓ５３等が、大当たりに当選した場合に、開閉パターン記憶手段（メイン制御装置２１のＲＯＭ）の中の何れかの開閉パターンを択一的に選択する開閉パターン選択手段に相当する。
【００５９】
一方、Ｓ５１；No、つまり、大当たりでない場合、大当たり図柄乱数に基づいて、小当たりの場合には（Ｓ５４；Yes ）、小当たり図柄がセットされ（Ｓ５５）、小当たりでない場合には（Ｓ５４；No）、ハズレ図柄がセットされ（Ｓ５６）、リターンする。
【００６０】
図９に示すように、Ｓ３４の大当たり判定処理の後、変動パターン選択処理（Ｓ３５）が実行されて、Ｓ２３で取得格納された大当たり乱数、大当たり図柄乱数、リーチ乱数、変動パターン乱数等に基づいて変動パターンが選択され、その変動パターンコマンドがセットされ（Ｓ３６）、特別図柄表示器１８ａで特別図柄の変動が開始され（Ｓ３７）、その変動時間の計測が開始され（Ｓ３８）、リターンする。尚、Ｓ３６でセットされたコマンド、また、後の説明でセットされるコマンドは、図７のＳ９の出力処理において、サブ制御装置２５に出力される。
【００６１】
一方、Ｓ３１；Yes 、つまり、特別図柄が変動中の場合、Ｓ３８から計測開始された変動時間が所定時間に達して、変動時間終了の場合には（Ｓ３９；Yes ）、変動停止コマンドがセットされ（Ｓ４０）、特別図柄表示器１８ａで特別図柄が変動停止されて（Ｓ４１）、Ｓ５３、Ｓ５５、Ｓ５６でセットされた図柄が抽選結果として表示され、変動時間がリセットされ（Ｓ４２）、停止中処理（Ｓ４３）が実行されて、リターンする。
【００６２】
図１１に示すように、Ｓ４３の停止中処理では、当たりでない場合（Ｓ６０；No）、時短回数Ｊが０でない場合には（Ｓ６１；No）、その時短回数ＪがＪ−１にディクリメントされ（Ｓ６２）、その後、時短回数Ｊが０になると（Ｓ６３；Yes ）、通常遊技状態がセットされ（Ｓ６４）、リターンする。尚、時短回数Ｊが０でない場合には、確変遊技状態又は時短遊技状態がセットされており、これらの遊技状態では、通常遊技状態のときよりも、普通図柄の変動時間が短く、且つ、下始動入賞口１１ｂを開放する時間が長くなる。
【００６３】
一方、Ｓ６０；Yes 、つまり、当たりの場合、小当たりでない場合には（Ｓ６５；No）、確変遊技状態設定処理（Ｓ６６）が実行され、大当たり開始コマンドがセットされ（Ｓ６７）、大当たりが開始され（Ｓ６８）、リターンする。Ｓ６５；Yes 、つまり、小当たりの場合、小当たり開始コマンドがセットされ（Ｓ６９）、小当たりが開始され（Ｓ７０）、リターンする。
【００６４】
大当たりが開始されると、１２種類の開閉パターンＡ〜Ｌの中から択一的に選択された開閉パターンとなるように、第１，第２大入賞口装置１３，１４の少なくとも一方が作動する。また、小当たりは大当たりに属するものではなく、小当たりが開始されると、第１，第２大入賞口１３ａ，１４ａの一方が数回（例えば、２回）開閉するように、第１，第２大入賞口装置１３，１４の一方が作動する。
【００６５】
次に、図１２に示すように、Ｓ６の大入賞口処理では、大当たり中の場合に（Ｓ８０；Yes ）、その大当たりの最初に第１，第２大入賞口１３ａ，１４ａの一方が開放する前のオープニング中の場合（Ｓ８１；Yes ）、更に、そのオープニング時間が経過した場合（Ｓ８２；Yes ）、Ｓ８３へ移行する。Ｓ８２；Noの場合、つまり、オープニング時間が経過していない場合には、リターンする。
【００６６】
一方、Ｓ８１；No、つまり、オープニング中でない場合、図１３に示すように、第１，第２大入賞口１３ａ，１４ａの一方が開放中でない場合に（Ｓ９６；No）、大当たりの最後に第１，第２大入賞口１３ａ，１４ａの一方が閉塞した後のエンディング中でない場合（Ｓ９７；No）、更に、ラウンド間のインターバル時間が経過した場合（Ｓ９８；Yes ）、Ｓ８３へ移行する。
【００６７】
図１２に示すように、Ｓ８３では、ＲがＲ＋１にインクリメントされる。尚、このＲは大当たり開始時には０にリセットされている。次に、図１０のＳ５３でセットされ大当たり図柄に応じて選択された開閉パターンについて、メイン制御装置２０のＲＯＭに記憶された開閉パターンの情報から、そのＲを実行する大入賞口装置（第１，第２大入賞口装置１３，１４の何れか）を特定する情報と、そのＲの規定時間とが取得され（Ｓ８４）、特定された第１，第２大入賞口装置１３，１４の一方が作動して、第１，第２大入賞口１３ａ，１４ａの一方が開放され（Ｓ８５）、Ｓ８６へ移行する。
【００６８】
例えば、図５に示す開閉パターンＧの場合、２Ｒ目は第１大入賞口装置１３で実行されて、その２Ｒ目の規定時間が約１秒になり、９Ｒ目は第２大入賞口装置１４で実行されて、その９Ｒ目の規定時間が約３０秒になる。一方、第１，第２大入賞口１３ａ，１４ａの一方が開放中の場合（Ｓ８１；No、図１３のＳ９６；Yes ）にも、Ｓ８６へ移行する。
【００６９】
次に、Ｓ８６において、第１，第２大入賞口１３ａ，１４ａの一方の開放時から、Ｓ８４で取得された規定時間経過した否か判定され、Ｓ８６；Noの場合、Ｓ８７において、このＲで入賞した遊技球数Ｃが規定入賞数の９個であるか否か判定され、Ｓ８７；Noの場合、リターンする。Ｓ８６とＳ８７の何れかが肯定判定された場合（Ｓ８６；Yes 又はＳ８７；Yes ）、開放している第１，第２大入賞口１３ａ，１４ａが閉塞される（Ｓ８８）。
【００７０】
次に、現在のＲ（Ｓ８３で更新されたＲ）が最大Ｒ（１０Ｒ）であるか否か判定され（Ｓ８９）、Ｓ８９；Noの場合、リターンし、Ｓ８９；Yes の場合、Ｒが０にリセットされ（Ｓ９０）、エンディングが開始され（Ｓ９１）、Ｓ９２へ移行する。一方、エンディング中の場合（Ｓ８１；No、図１３のＳ９６；No、図１３のＳ９７；Yes ）にも、Ｓ９２へ移行する。Ｓ９２では、エンディング時間が経過した否か判定され、Ｓ９２；Noの場合、リターンし、Ｓ９２；Yes の場合、大当たりが終了して（Ｓ９３）、リターンする。
【００７１】
一方、Ｓ８０；Noの場合、小当たり中でない場合（Ｓ９４；No）、リターンし、小当たり中の場合（Ｓ９４；Yes ）、小当たり処理（Ｓ９５）が実行され、リターンする。このように、大当たりに当選した場合には、複数種類の開閉パターンＡ〜Ｌの中から選択された開閉パターンで大入賞口１３ａ，１４ａが開閉される。つまり、この大入賞口処理の主要ステップが、開閉パターン選択手段で選択された開閉パターンとなるように第１，第２大入賞口装置を制御する開閉制御手段に相当する。
【００７２】
一方、サブ制御装置２５の画像制御基板２８が、液晶ディスプレイからなる画像表示器１６を制御する表示制御手段に相当し、この画像制御基板２８は、大当たり中には、画像表示器１６に大当たり画面を表示させるが、そこで、基準開閉パターンＡ〜Ｄが実行されている場合、画像表示器１６に、現在実行中のラウンドを含めて実行される残りのラウンド数（例えば、「残り４Ｒ」の文字）、又は、現在実行中のラウンドを含めて実行されたラウンド数（例えば、「７Ｒ」の文字）を表示させる。
【００７３】
また、画像制御基板２８は、先頭の１Ｒ〜３Ｒがダミーラウンドとなる特殊開閉パターンＥ〜Ｈが実行されている場合、画像表示器１６に現在実行中のラウンドを含めて実行される残りのラウンド数を表示させ、最後尾の７Ｒ〜１０Ｒがダミーラウンドとなる特殊開閉パターンＩ〜Ｌが実行されている場合、画像表示器１６に現在実行中のラウンドを含めて実行される残りのラウンド数を表示させる。
【００７４】
更に、画像制御基板２８は、最後尾の７Ｒ〜１０Ｒがダミーラウンドとなる特殊開閉パターンＩ〜Ｌが実行されている場合、通常ラウンド実行中に、後のラウンドでダミーラウンドが実行される旨を非昇格通知として画像表示器１６に表示させ、基準開閉パターンＡ〜Ｄが実行されている場合、特殊開閉パターンＩ〜Ｌの通常ラウンドに対応する通常ラウンド実行中に、後のラウンド全てで通常ラウンドが実行される旨を昇格通知として画像表示器１６に表示させる。
【００７５】
このようなラウンドの表示やラウンド実行中の昇格・非昇格通知の表示を行うために、画像制御基板２８は、例えば、選択された開閉パターンに関する情報と現在実行中のラウンドに関する情報とを、メイン制御基板２２から演出制御基板２７を介して受け、その情報に基づいて、更に、演出制御基板２７のＲＯＭに予め格納された画像情報に基づいて実現する。次に、ラウンド実行中の昇格・非昇格通知の表示制御例について、図１５のタイムチャートに基づいて説明する。
【００７６】
図１５において、最上部に基準開閉パターンＡ〜Ｄ及び特殊開閉パターンＩ〜Ｌの通常ラウンドとなる１Ｒ〜７Ｒの開閉を示し、その後の８Ｒ〜１０Ｒについて、基準開閉パターンＡ〜Ｄでは通常パターンとなり、特殊開閉パターンＩ〜Ｌではダミーラウンドとなるが図示省略する。また、１Ｒ〜７Ｒの開閉を示す記載の下側に、基準開閉パターンＡ〜Ｄが選択された場合に選択される［演出Ｉ］［演出III ］と、特殊開閉パターンＩ〜Ｌが選択された場合に選択される［演出II］の３種類の演出を示している。
【００７７】
３種類の［演出Ｉ］〜［演出III ］では、共に、８Ｒの数ラウンド前（例えば、５Ｒ）から、勝敗や優劣が決まる演出表示を行い、時間の経過と共に、その勝敗や優劣をはっきりさせていく。そして、［演出Ｉ］では、７Ｒの最後の方で昇格報知を行い、［演出II］では、７Ｒの最後の方で非昇格報知を行う。また、［演出III ］では、７Ｒの最後の方で一旦非昇格報知を行うが、それをダミーとし、その後に昇格報知を行う。
【００７８】
以上説明したパチンコ遊技機１によれば次の作用・効果を奏する。
始動入賞口１１ａ，１１ｂへの遊技球の入賞を契機に抽選が行われ、その抽選により大当たりに当選した場合に、大当たり遊技が発生する。大当たりに当選した場合、１２種類の開閉パターンＡ〜Ｌの中の何れかの開閉パターンが択一的に選択され、大当たり遊技では、その開閉パターンとなるように第１，第２大入賞口装置１３，１４が制御される。
【００７９】
ここで、遊技者は、大当たりに当選したことを、特別図柄表示器１８ａを見て、大当たり図柄Ａ〜Ｌを知っていれば認識できるが、主に画像表示器１６を見て認識することができる。また、大当たり図柄Ａ〜Ｌの表示パターンを全体的に複雑にすることで、遊技者は、特別図柄表示器１８ａに表示された大当たり図柄Ａ〜Ｌ、及び、この大当たり図柄Ａ〜Ｌに対応する開閉パターンＡ〜Ｌの何れが選択されたかを判別しにくくなる。つまり、遊技者は、大当たり遊技当初から、実行される開閉パターン、及び、その開閉パターンでの大当たり遊技による出球を知ることが困難である。
【００８０】
ここで、小当たりの場合、画像表示器１６に表示される小当たり当選の表示態様を、大当たり図柄Ｅ〜Ｈの（つまり、特殊開閉パターンＥ〜Ｈが選択される）場合の大当たりの場合と同じように、更に、その小当たりの大入賞口１３ａ，１４ａの開閉も開閉パターンＥ〜Ｈの１Ｒ〜３Ｒのダミーラウンドの開閉と同じようにすることで、遊技者は、そのダミー開放の後、４回目の大入賞口１３ａ，１４ａの開放が行われることで、大当たりであることを認識し歓喜し、また、開閉パターンＥ〜Ｈの存在を知っていれば、４回目の大入賞口１３ａ，１４ａの開放が行われないことで、小当たりであることを認識し落胆する。
【００８１】
また、大当たり遊技で、最初に大入賞口１３ａ，１４ａのダミー開放が行われず、フルオープン開放が行われた場合、遊技者は大当たりに当選したことを認識できるが、１Ｒ〜７Ｒの間では、その大当たりが出球が多い基準開閉パターンＡ〜Ｄで実行されるか、出球が少ない特殊開閉パターンＩ〜Ｌで実行されるか知ることが難しい。そこで、７Ｒの終了後、８Ｒが通常ラウンドで実行されれば、出球が多い基準開閉パターンＡ〜Ｄであると認識し歓喜し、８Ｒがダミーラウンドで実行されれば、出球が少ない特殊開閉パターンＩ〜Ｌであると認識し落胆する。
【００８２】
この場合、基準開閉パターンＡ〜Ｄであるか特殊開閉パターンＩ〜Ｌであるかを、図１５に示した［演出Ｉ］〜［演出III ］を実行することで、その演出途中で示唆するようにし、演出最終で昇格報知或いは非昇格通知を行って、遊技者は、こうした演出を見て、出球をより多く獲得できるか否かの遊技興趣を高められる。
【００８３】
このパチンコ遊技機１によれば、複数種類の開閉パターンＡ〜Ｌは、通常ラウンドの規定時間よりも短い規定時間に設定されるダミーラウンドを含む特殊開閉パターンＥ〜Ｌを有するため、そのダミーラウンドの規定時間を、遊技球を通常に連続発射した場合に当該ダミーラウンド実行中に規定数の遊技球が大入賞口１３ａ，１４ａに入賞不可能な時間に設定することで、大当たりに当選した場合、特殊開閉パターンＥ〜Ｌが選択され、その特殊開閉パターンＥ〜Ｌとなるように第１，第２大入賞口装置１３，１４が制御されると、この特殊開閉パターンＥ〜Ｌでの大当たり遊技による出球を、基準開閉パターンＡ〜Ｄでの大当たり遊技による出球よりも低く抑えることができる。つまり、大当たり遊技による出球の調整を図って、その出球や大当たり確率等を含む本パチンコ遊技機１のスペックを出球率を加味して設定する自由度を高めることができる。
【００８４】
しかも、第１，第２大入賞口装置１３，１４を設けたことにより、特殊開閉パターンＥ〜Ｌにおいて、ダミーラウンドと通常ラウンドの両方を第１又は第２入賞口装置１３又は１４に実行させたり、ダミーラウンドを第１，第２大入賞口装置１３，１４の一方に実行させ通常ラウンドを第１，第２大入賞口装置１３，１４の他方に実行させたりすることができ、特殊開閉パターンＥ〜Ｌの種類を、１つの大入賞口装置を設けた場合の特殊開閉パターンの種類よりも多くすることもできる。
【００８５】
複数種類の開閉パターンＡ〜Ｌは、その大当たりラウンド数を全て一定数とすることで、大当たりに当選しても、大当たりラウンド数を表示する必要がなくなり、また、先頭の１Ｒ〜３Ｒのラウンドをダミーラウンドとする場合には、そのダミーラウンドを出球を実質得られない捨てラウンドとして、そのダミーラウンドにおける大入賞口１３ａ，１４ａの開閉をギミック的な開放予兆予告として機能させ、また、最後尾の７Ｒ〜１０Ｒのラウンドをダミーラウンドとする場合には、そのダミーラウンドを出球を実質得られない捨てラウンドとして、遊技者は、大当たり遊技中に、最後まで通常ラウンドとなるのか最後はダミーラウンドとなるのかを、期待と不安を抱きながら大当たり遊技を行うことができる。つまり、大当たり遊技中の面白みを創出して遊技性の向上を図ることができる。
【００８６】
また、先頭の１Ｒ〜３Ｒがダミーラウンドとなる特殊開閉パターンＥ〜Ｈが実行されている場合、画像表示器１６に現在実行中のラウンドを含めて実行される残りのラウンド数を表示させるので、特殊開閉パターンＥ〜Ｈの場合でも、基準開閉パターンＡ〜で非の場合でも、実行される残りのラウンド数を遊技者に対して正確に判り易く表示することができ、最後尾の７Ｒ〜１０Ｒがダミーラウンドとなる特殊開閉パターンＩ〜Ｌが実行されている場合、画像表示器１６に現在実行中のラウンドを含めて実行されたラウンド数を表示させるので、特殊開閉パターンＩ〜Ｌの場合でも、基準開閉パターンＡ〜Ｄの場合でも、実行されたラウンド数を遊技者に対して正確に判り易く表示することができる。
【００８７】
また、最後尾の７Ｒ〜１０Ｒがダミーラウンドとなる特殊開閉パターンＩ〜Ｌが実行されている場合、通常ラウンド実行中に、後のラウンドでダミーラウンドが実行される旨を非昇格通知として画像表示器１６に表示させ、基準開閉パターンＡ〜Ｄが実行されている場合、特殊開閉パターンＩ〜Ｌの通常ラウンドに対応する通常ラウンド実行中に、後のラウンド全てで通常ラウンドが実行される旨を昇格通知として画像表示器１６に表示させるので、遊技者は、最後まで通常ラウンドとなのるか最後はダミーラウンドとなるのかを、大当たり遊技中に、画像表示器１６に演出的に表示される昇格通知や非昇格通知を見て一喜一憂して楽しむことができる。
【００８８】
次に、前記実施例を部分的に変更した変形例について説明する。
（１）基準開閉パターンとして、第１大入賞口装置１３が１Ｒ〜７Ｒで通常ラウンドを実行して第２大入賞口装置１４が７Ｒ〜１０Ｒで通常ラウンドを実行する基準開閉パターンと、第２大入賞口装置１４が１Ｒ〜７Ｒで通常ラウンドを実行して第１大入賞口装置１３が７Ｒ〜１０Ｒで通常ラウンドを実行する基準開閉パターンを備えてもよい。
【００８９】
（２）大当たりラウンド数を、７Ｒ〜９Ｒ、１１Ｒ〜１６Ｒの何れかとしてもよい。
（３）ダミーラウンドの数を、１，２，４〜５の何れかとしてもよい。
（４）ダミーラウンドの規定時間を、通常ラウンドの規定時間（約３０秒）の１／１０以下の約２秒や約３秒、或いは、それ以外の時間に設定してもよい。この場合、ダミーラウンドの規定時間を、遊技球を通常に連続発射した場合に当該ダミーラウンド実行中に規定数の遊技球が大入賞口１３ａ，１４ａに入賞不可能な時間に設定することが望ましい。
【００９０】
（５）ダミーラウンドの規定時間は全て一律であるが、ダミーラウンドの数を複数（２〜５の何れか）にする場合、ダミーラウンドの規定時間をラウンド毎に異なるように設定してもよい。例えば、特殊開閉パターンＥ〜Ｈの場合には、１Ｒ目を約１秒、２Ｒ目を約２秒、３Ｒ目を約３秒とし、また、特殊開閉パターンＩ〜Ｌの場合には、８Ｒ目を約３秒、９Ｒ目を約２秒、１０Ｒ目を約１秒としてもよい。
【００９１】
その他、本発明の趣旨を逸脱しない範囲において、前記開示事項以外の種々の変更を付加して実施可能である。また、本発明は、大入賞口装置として独立の第１，第２大入賞口を夫々開閉する第１，第２大入賞口装置を設けた種々のパチンコ遊技機に適用できる。
【図面の簡単な説明】
【００９２】
【図１】パチンコ遊技機の正面図である。
【図２】遊技盤の正面図である。
【図３】パチンコ遊技機の制御系のブロック図である。
【図４】基準開閉パターンのタイムチャートである。
【図５】特殊開閉パターンのタイムチャートである。
【図６】特殊開閉パターンのタイムチャートである。
【図７】メイン処理のフローチャートである。
【図８】始動口ＳＷ処理のフローチャートである。
【図９】特別図柄処理のフローチャートである。
【図１０】大当たり判定処理のフローチャートである。
【図１１】停止中処理のフローチャートである。
【図１２】大入賞口処理のフローチャートである。
【図１３】大入賞口処理のフローチャートである。
【図１４】大当たり図柄、開閉パターンの選択用のテーブルである。
【図１５】昇格・非昇格通知の表示制御例を示すタイムチャートである。
【符号の説明】
【００９３】
１  パチンコ遊技機
１１ａ  上始動入賞口
１１ｂ  下始動入賞口
１３  第１大入賞口装置
１３ａ  第１大入賞口
１４  第２大入賞口装置
１４ａ  第２大入賞口
１６  画像表示器
２０  制御装置
２１  メイン制御装置
２５  サブ制御装置
【図１】
2010088542.tif 000003
【図２】
2010088542.tif 000004
【図３】
2010088542.tif 000005
【図４】
2010088542.tif 000006
【図５】
2010088542.tif 000007
【図６】
2010088542.tif 000008
【図７】
2010088542.tif 000009
【図８】
2010088542.tif 000010
【図９】
2010088542.tif 000011
【図１０】
2010088542.tif 000012
【図１１】
2010088542.tif 000013
【図１２】
2010088542.tif 000014
【図１３】
2010088542.tif 000015
【図１４】
2010088542.tif 000016
【図１５】
2010088542.tif 000017